(57)【特許請求の範囲】
【請求項１】
スキャン端末と、情報送信装置と、前記スキャン端末と通信して接続する情報サービスプラットフォームとを備え、前記情報サービスプラットフォームはプリセット情報を配信し、前記情報送信装置は前記プリセット情報を出力し、前記スキャン端末は処理ユニットと、前記処理ユニットにそれぞれ接続された画像取得ユニット、情報送受信ユニットおよび表示ユニットを備え、
前記情報サービスプラットフォームは、バーコードと第１の情報インターフェースに対応する第１のリソース情報との対応関係、およびプリセット情報と第２の情報インターフェースに対応する第２のリソース情報との対応関係が記録されたバインディング関係テーブルを設定し、
前記処理ユニットは、
画像取得ユニットによってバーコードをスキャン・解析し、前記バインディング関係テーブルから前記第１のリソース情報を取得するためのバーコードスキャンユニットと、
前記バーコードスキャンユニットがオンになったことを検出したとき、情報送受信ユニットによって前記プリセット情報を取得し、前記バインディング関係テーブルから前記第２のリソース情報を取得するための情報スキャンユニットと、
前記表示ユニットを駆動して前記第１の情報インターフェース及び／又は第２の情報インターフェースを表示するための情報プッシュユニットとを含むことを特徴とする情報スキャン識別システム。
【請求項２】
前記システムは、サードパーティプラットフォームを更に備え、前記スキャン端末は、前記第１の情報インターフェースまたは第２の情報インターフェースを介して取得された操作情報を前記サードパーティプラットフォームに送信するためにも用いられ、前記サードパーティプラットフォームは前記操作情報に基づいて対応の操作命令を実行するために用いられることを特徴とする請求項１に記載の情報スキャン識別システム。
【請求項３】
前記情報プッシュユニットは、
前記バーコードスキャンユニットのバーコードに対する解析が成功したかどうかを判定するための第１の判定モジュールと、
前記第１の判定モジュールがバーコードに対する解析が失敗したと判定したとき、前記表示ユニットを駆動して前記第２の情報インターフェースを表示するための起動モジュールとを備えることを特徴とする請求項１に記載の情報スキャン識別システム。
【請求項４】
前記情報プッシュユニットは、
前記第１の判定モジュールがバーコードに対する解析が成功したと判定したとき、第１のリソース情報と第２のリソース情報が同じであるかどうかを判定するための第２の判定モジュールをさらに備え、
前記起動モジュールは、さらに、前記第２の判定モジュールが第１のリソース情報と第２のリソース情報が同じであると判定したとき、前記表示ユニットを駆動して第１の情報インターフェースまたは第２の情報インターフェースを表示するために用いられ、
前記起動モジュールは、さらに、前記第２の判定モジュールが第１のリソース情報と第２のリソース情報が同じではないと判定したとき、前記表示ユニットを駆動して第１の情報インターフェースおよび第２の情報インターフェースをそれぞれ表示するために用いられることを特徴とする請求項３に記載の情報スキャン識別システム。
【請求項５】
前記システムは、サードパーティプラットフォームをさらに備え、前記第１の情報インターフェースは情報対話インターフェースであり、前記スキャン端末は前記第１の情報インターフェースで受け付けた選択操作に基づいて、前記サードパーティプラットフォームに選択情報を送信し、前記第２の情報インターフェースは支払いインターフェースであり、前記サードパーティプラットフォームは、前記選択情報に基づいて前記第２の情報インターフェースを生成し、前記第１の判定モジュールは、プリセット時間内にバーコードに対する解析が成功したかどうかを判定し、ＮＯであれば、前記起動モジュールに通知を発し前記表示ユニットを駆動して前記第２の情報インターフェースを表示することを特徴とする請求項４に記載の情報スキャン識別システム。
【請求項６】
前記第１の情報インターフェースおよび第２の情報インターフェースはウェブページ、支払いインターフェース、知能ハードウェア制御インターフェース、ＡＰＰインターフェース、または情報対話インターフェースであることを特徴とする請求項１に記載の情報スキャン識別システム。
【請求項７】
前記情報スキャンユニットは、情報送受信ユニットスイッチがオンになったことを検出したとき、前記情報送受信ユニットを起動させ前記プリセット情報を取得するためのスキャン起動ユニットをさらに備えることを特徴とする請求項１に記載の情報スキャン識別システム。
【請求項８】
前記情報送受信ユニットは、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備え、前記情報スキャンユニットは、ボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備え、前記プリセット情報はボーカルコード、声紋データ、Ｂｌｕｅｔｏｏｔｈ情報、ｉＢｅａｃｏｎ情報、ＮＦＣ情報、ＲＦＩＤ情報、またはＷｉ-Ｆｉ情報であることを特徴とする請求項１に記載の情報スキャン識別システム。
【請求項９】
前記処理ユニットは、前記バーコードスキャンユニットがオンになったとき、前記表示ユニットを駆動して前記情報送受信ユニットスイッチが配置されるスキャンインターフェースを表示することを特徴とする請求項７に記載の情報スキャン識別システム。
【請求項１０】
請求項１〜９のいずれか１項に記載の情報スキャン識別システムに応用される方法であって、
情報サービスプラットフォームによって、バーコードと第１の情報インターフェースに対応する第１のリソース情報の対応関係、およびプリセット情報と第２の情報インターフェースに対応する第２のリソース情報の対応関係が記録されたバインディング関係テーブルを設定するステップと、
バーコードスキャンユニットがオンになったことを検出した時、スキャン端末によって情報送受信ユニットにより前記プリセット情報を取得し、前記バインディング関係テーブルから前記第２のリソース情報を取得するステップと、
スキャン端末によって第１の情報インターフェース及び／又は第２の情報インターフェースを表示するステップと、を含むことを特徴とする情報スキャン識別方法。
【請求項１１】
スキャン端末によって前記第１の情報インターフェースまたは第２の情報インターフェースを介して取得された操作情報をサードパーティプラットフォームに送信するステップと、
サードパーティプラットフォームによって前記操作情報に基づいて対応の操作命令を実行するステップと、をさらに含むことを特徴とする請求項１０に記載の情報スキャン識別方法。
【請求項１２】
前記のスキャン端末によって第１の情報インターフェース及び／又は第２の情報インターフェースを表示するステップは、具体的には、
バーコードに対する解析が成功したかどうかを判定するステップと、
バーコードに対する解析が失敗したと判定したとき、前記第２の情報インターフェースを表示するステップとを含むことを特徴とする請求項１０に記載の情報スキャン識別方法。
【請求項１３】
前記のスキャン端末によって第１の情報インターフェース及び／又は第２の情報インターフェースを表示するステップは、具体的には、
バーコードに対する解析が成功したと判定したとき、第１のリソース情報と第２のリソース情報が同じであるかどうかを判定するステップと、
第１のリソース情報と第２のリソース情報が同じであると判定したとき、第１の情報インターフェースまたは第２の情報インターフェースを表示するステップと、
第１のリソース情報と第２のリソース情報が同じではないと判定したとき、第１の情報インターフェースおよび第２の情報インターフェースをそれぞれ表示するステップと、をさらに含むことを特徴とする請求項１２に記載の情報スキャン識別方法。
【請求項１４】
前記第１の情報インターフェースは情報対話インターフェースであり、前記第２の情報インターフェースは支払いインターフェースであり、前記の第１の情報インターフェースおよび第２の情報インターフェースをそれぞれ表示するステップは、具体的には、
スキャン端末によって第１の情報インターフェースを介して受信された選択操作に基づいてサードパーティプラットフォームに選択情報を送信するステップと、
サードパーティプラットフォームによって前記選択情報に基づいて前記第２の情報インターフェースを生成するステップと、
スキャン端末によってプリセット時間内にバーコードに対する解析が成功したかどうかを判定し、ＮＯであれば、前記第２の情報インターフェースを表示するステップと、を含むことを特徴とする請求項１３に記載の情報スキャン識別方法。
【請求項１５】
スキャン端末は情報送受信ユニットスイッチがオンになったことを検出したとき、前記情報送受信ユニットを起動させ前記プリセット情報を取得するステップをさらに含むことを特徴とする請求項１０に記載の情報スキャン識別方法。
【請求項１６】
前記バーコードスキャンユニットがオンになったとき、前記情報送受信ユニットスイッチが配置されるスキャンインターフェースを表示するステップをさらに含むことを特徴とする請求項１５に記載の情報スキャン識別方法。
【請求項１７】
プリセット情報を配信し、バーコードと第１の情報インターフェースに対応する第１のリソース情報の対応関係、およびプリセット情報と第２の情報インターフェースに対応する第２のリソース情報の対応関係が記録されたバインディング関係テーブルを設定するための情報サービスプラットフォームと通信して接続するスキャン端末であって、処理ユニット、それぞれ前記処理ユニットに接続された画像取得ユニット、情報送受信ユニット、及び表示ユニットを備え、
前記処理ユニットは、
画像取得ユニットによってバーコードをスキャン・解析し、かつ前記バインディング関係テーブルから前記第１のリソース情報を取得するためのバーコードスキャンユニットと、
前記バーコードスキャンユニットがオンになったことを検出したとき、情報送受信ユニットによって前記プリセット情報を取得し、前記バインディング関係テーブルから前記第２のリソース情報を取得するための情報スキャンユニットと、
前記表示ユニットを駆動して前記第１の情報インターフェース及び／又は第２の情報インターフェースを表示するための情報プッシュユニットと、を備えることを特徴とするスキャン端末。
【請求項１８】
前記スキャン端末は、サードパーティプラットフォームと通信して接続し、前記スキャン端末は、さらに前記第１の情報インターフェースまたは第２の情報インターフェースを介して取得された操作情報を前記サードパーティプラットフォームに送信し、前記サードパーティプラットフォームは前記操作情報に基づいて対応の操作命令を実行することを特徴とする請求項１７に記載のスキャン端末。
【請求項１９】
前記情報プッシュユニットは、
前記バーコードスキャンユニットのバーコードに対する解析が成功したかどうかを判定するための第１の判定モジュールと、
前記第１の判定モジュールが、バーコードに対する解析が失敗したと判定したとき、前記表示ユニットを駆動して前記第２の情報インターフェースを表示するための起動モジュールと、を備えることを特徴とする請求項１７に記載のスキャン端末。
【請求項２０】
前記情報プッシュユニットは、
前記第１の判定モジュールが、バーコードに対する解析が成功したと判定したとき、第１のリソース情報と第２のリソース情報が同じであるかどうかを判定するための第２の判定モジュールをさらに備え、
前記起動モジュールは、さらに、前記第２の判定モジュールが第１のリソース情報と第２のリソース情報が同じであると判定したとき、前記表示ユニットを駆動して第１の情報インターフェースまたは第２の情報インターフェースを表示するために用いられ、
前記起動モジュールは、さらに、前記第２の判定モジュールが第１のリソース情報と第２のリソース情報が同じではないと判定したとき、前記表示ユニットを駆動して第１の情報インターフェースおよび第２の情報インターフェースをそれぞれ表示するために用いられることを特徴とする請求項１９に記載のスキャン端末。
【請求項２１】
前記第１の情報インターフェースは情報対話インターフェースであり、前記スキャン端末は、対話インターフェースが受信した選択操作に基づいて、サードパーティプラットフォームに選択情報を送信するために用いられ、
前記第１の判定モジュールは、さらに、プリセット時間内にバーコードに対する解析が成功したかどうかを判定し、ＮＯであれば、前記起動モジュールに通知を発し、表示ユニットを駆動して前記サードパーティプラットフォームによって前記選択情報に基づいて生成された支払いインターフェースである前記第２の情報インターフェースを表示することを特徴とする請求項２０に記載のスキャン端末。
【請求項２２】
前記情報スキャンユニットは、情報送受信ユニットスイッチがオンになったことを検出したとき、前記情報送受信ユニットを起動させ前記プリセット情報を取得するスキャン起動ユニットをさらに備えることを特徴とする請求項１７に記載のスキャン端末。
【請求項２３】
前記処理ユニットは、さらに、前記バーコードスキャンユニットがオンになったとき前記表示ユニットを駆動してスキャンインターフェースを表示するために用いられ、前記情報送受信ユニットスイッチが前記スキャンインターフェース上に配置され、電波信号を別の中継基地局に送信することを特徴とする請求項２２に記載のスキャン端末。
【発明の詳細な説明】
【技術分野】
【０００１】
本発明は、情報およびコンピュータ技術用途の分野に関し、特に、情報スキャン識別システム、方法およびスキャン端末に関する。
【背景技術】
【０００２】
一、バーコード技術の概要
バーコード技術は、コンピュータアプリケーションおよびプラクティスで広く使用されている自動識別技術であり、ビジネス、郵便、図書館管理、倉庫管理、工業生産プロセス制御、輸送などで広く使用され、入力速度が速く、精度が高く、コストが低く、信頼性が高いなどの利点を有し、今日の自動識別技術において重要な役割を果たしている。一般に、特定の情報について、そのコードは一意であり、データベースを介してバーコードと情報の対応関係を確立し、バーコードは識別キャリアとして使用され、データベースから抽出された対応の情報を含み、対応情報の転送と操作によって実現される。２０１６年８月３日に、決済機関は「バーコード支払いサービス仕様」（コメント用ドラフト）を支払い機関に発行し、バーコード事業を実施するために支払い機関が従わなければならない安全基準を明確に指摘した。２０１４年に２次元コードの支払いが停止されてから、中央銀行が２次元支払いの地位を正式に認識したのはこれが初めてである。
【０００３】
バーコードには、１次元バーコードと２次元コードが含まれ、
１次元バーコードは、規則的に配置されたバー、スペース、および対応する文字のセットで構成されるマークであり、「バー」は、光に対する反射率が低い部分を指し、「スペース」は、光に対する反射率が高い部分を指し、これらのバーとスペースからなるデータは特定の情報を表し、特定のデバイスで読み取られ、コンピュータと互換性のある２進および１０進情報に変換可能である。１次元バーコードは簡単に作成でき、コードシステムは犯罪者が入手して偽造するのも簡単である。そして、１次元のバーコードは、漢字と画像情報を表すのがほとんど不可能である。
【０００４】
２次元コードはＱＲ（Ｑｕｉｃｋ Ｒｅｓｐｏｎｓｅ） Ｃｏｄｅとも呼ばれ、近年モバイルデバイスでよく使用されているエンコード方式であり、１次元バーコードよりも多くの情報を保存でき、より多くのデータタイプを表示することができる。２次元コードは、特定の規則に従って平面（二次元方向）に分布している白黒の特定の幾何学パターンを使用して、データシンボル情報を記録する。
【０００５】
コードの準備では、コンピュータの内部ロジックを構成する「０」および「１」ビットストリームの概念が巧みに利用され、バイナリに対応するいくつかの幾何学図形が情報を表すために使用され、画像入力または光電スキャン端末の自動識別によって情報の自動処理を実現する。
【０００６】
上記のように、バーコード技術は、以下のような多くのユーザエクスペリエンスの問題がある。
【０００７】
１、バーコード（この特許出願で言及されているバーコードには、１次元バーコードと２次元コードが含まれる）スキャンによって情報を取得する技術的ソリューションは、様々な消費シナリオと情報対話シナリオで広く使用されている。しかしながら、バーコードの表示は空間範囲によって制限されるため、アクセシビリティにはデッドポイントがある。具体的には、バーコードを表示するキャリアの数が制限されている大きなエリアおよび応用シナリオの場合、ロケーションデッドゾーンがある。この場合、バーコードのスキャンが失敗する場合、例えばコードスキャンによる取得または支払いの応用シナリオでは、コードスキャンによる支払いまたは取得を実現するために、キューに入れて所定の位置に到達する必要があり、効率は非常に低くなる。
【０００８】
２、２次元コードは非常に摩耗しやすく、範囲は広く即時にメンテナンスできないと使用できなくなり、スキャンバーコードが失敗する状況が発生する虞があり、例えば共有自転車の応用シナリオでは、バーコードの物理的なキャリアを大幅に使用できなくなり、資源を無駄にする。
【０００９】
二、音波通信技術および音波に基づく情報識別技術
現在、ｉｐｈｏｎｅのチャープ、ａｎｄｒｏｉｄのナス高速音波転送、Ａｌｉｐａｙの音波支払い、ＭＩのｘｉａｏｍｉ高速音波転送など、ｉｐｈｏｎｅとａｎｄｒｏｉｄで音波通信が広く使用されている。これらの転送技術のほとんどは、音波をハンドシェイク信号として使用し、Ｗｉ-Ｆｉまたは他のチャンネルを使用してデータを転送する。ナスの高速転送は次のように実現できる。受信側は最初にＷｉ-Ｆｉホットスポットを確立し、次に音波を介してホットスポット名を送信し、送信側は音波を受信した後にＷｉ-Ｆｉホットスポット名をデコードし、次にホットスポットを自動的にアクセスして文件を転送する。プロセス全体を通じて人間の介入は必要ない。
【００１０】
出願番号ＣＮ２０１５１０１４５４６３．１の「リソースをプッシュおよび取得する方法及び装置」という特許出願は、バーコードの代わりに音波を使用し、音波を識別することによって情報を取得する音波のリソースをプッシュおよび取得する方式を開示した。この明細書の段落番号００１１、００１２では、「モバイルデバイスが音波を受信するとき、それは比較的複雑な環境にある可能性があり、例えば複数の情報提示装置が同時に音波を送信しているため、モバイルデバイスは複数の音波を同時に受信し、それに対応して、サーバに送信される音波データも複数である。従来技術において、交差音波データの分離および抽出技術は比較的成熟しているため、本発明の実施形態で直接使用すると複数の音波データを分離し、複数の音波データの対応のリソース情報をそれぞれ決定し、モバイルデバイスにプッシュすることができる。この場合、モバイルデバイスは、リソース情報リストをユーザに表示して、ユーザが具体的にあるリソース情報に対応するリソース内容を選択して表示する。」ことが記載されている。
【００１１】
しかしながら、上記のような音波識別技術では、「リソース情報リスト」の内容を解釈するのに時間が掛かり、ユーザが本当に必要とする情報を絞って即座に取得することは不可能であり、ユーザは新しい使用習慣を学ぶ必要があり、ユーザの体験に悪い影響を及ぼす。
【発明の概要】
【発明が解決しようとする課題】
【００１２】
ユーザ体験に悪い影響を及ぼす上記の技術的問題を解決するために、本発明は、情報スキャン識別システム、方法およびスキャン端末を提供する。
【課題を解決するための手段】
【００１３】
上記の技術的問題を解決するために、本発明の技術的な解決策として、スキャン端末と、情報送信装置と、上記スキャン端末と通信して接続する情報サービスプラットフォームとを備え、上記情報サービスプラットフォームはプリセット情報を配信し、上記情報送信装置は上記プリセット情報を出力し、上記スキャン端末は処理ユニットと、上記処理ユニットにそれぞれ接続された画像取得ユニット、情報送受信ユニットおよび表示ユニットを備え、上記情報サービスプラットフォームは、バーコードと第１の情報インターフェースに対応する第１のリソース情報との対応関係、およびプリセット情報と第２の情報インターフェースに対応する第２のリソース情報との対応関係が記録されたバインディング関係テーブルを設定し、上記処理ユニットは、画像取得ユニットによってバーコードをスキャン・解析し、上記バインディング関係テーブルから上記第１のリソース情報を取得するためのバーコードスキャンユニットと、上記バーコードスキャンユニットがオンになったことを検出したとき、情報送受信ユニットによって上記プリセット情報を取得し、上記バインディング関係テーブルから上記第２のリソース情報を取得するための情報スキャンユニットと、上記表示ユニットを駆動して上記第１の情報インターフェース及び／又は第２の情報インターフェースを表示するための情報プッシュユニットとを含む情報スキャン識別システムを提供する。
【００１４】
上記システムは、サードパーティプラットフォームを更に備え、上記スキャン端末は、上記第１の情報インターフェースまたは第２の情報インターフェースを介して取得された操作情報を上記サードパーティプラットフォームに送信するために用いられ、上記サードパーティプラットフォームは上記操作情報に基づいて対応の操作命令を実行するために用いられる。
【００１５】
上記情報プッシュユニットは、上記バーコードスキャンユニットのバーコードに対する解析が成功したかどうかを判定するための第１の判定モジュールと、上記第１の判定モジュールがバーコードに対する解析が失敗したと判定したとき、上記表示ユニットを駆動して上記第２の情報インターフェースを表示するための起動モジュールとを備える。
【００１６】
上記情報プッシュユニットは、上記第１の判定モジュールがバーコードに対する解析が成功したと判定したとき、第１のリソース情報と第２のリソース情報が同じであるかどうかを判定するための第２の判定モジュールをさらに備え、上記起動モジュールは、さらに、上記第２の判定モジュールが第１のリソース情報と第２のリソース情報が同じであると判定したとき、上記表示ユニットを駆動して第１の情報インターフェースまたは第２の情報インターフェースを表示するために用いられ、上記起動モジュールは、さらに、上記第２の判定モジュールが第１のリソース情報と第２のリソース情報が同じではないと判定したとき、上記表示ユニットを駆動して第１の情報インターフェースおよび第２の情報インターフェースをそれぞれ表示するために用いられる。
【００１７】
上記システムは、サードパーティプラットフォームをさらに備え、上記第１の情報インターフェースは情報対話インターフェースであり、上記スキャン端末は上記第１の情報インターフェースで受け付けた選択操作に基づいて、上記サードパーティプラットフォームに選択情報を送信し、上記第２の情報インターフェースは支払いインターフェースであり、上記サードパーティプラットフォームは、上記選択情報に基づいて上記第２の情報インターフェースを生成し、上記第１の判定モジュールは、プリセット時間内にバーコードに対する解析が成功したかどうかを判定し、ＮＯであれば、上記起動モジュールに通知を発し上記表示ユニットを駆動して上記第２の情報インターフェースを表示する。
【００１８】
上記第１の情報インターフェースおよび第２の情報インターフェースはウェブページ、支払いインターフェース、知能ハードウェア制御インターフェース、ＡＰＰインターフェース、または情報対話インターフェースである。
【００１９】
上記情報スキャンユニットは、情報送受信ユニットスイッチがオンになったことを検出したとき、上記情報送受信ユニットを起動させ上記プリセット情報を取得するためのスキャン起動ユニットをさらに備える。
【００２０】
上記情報送受信ユニットは、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備え、上記情報スキャンユニットは、ボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備え、上記プリセット情報はボーカルコード、声紋データ、Ｂｌｕｅｔｏｏｔｈ（登録商標）情報、ｉＢｅａｃｏｎ情報、ＮＦＣ情報、ＲＦＩＤ情報、またはＷｉ-Ｆｉ情報である。
【００２１】
上記処理ユニットは、上記バーコードスキャンユニットがオンになったとき、上記表示ユニットを駆動して上記情報送受信ユニットスイッチが配置されるスキャンインターフェースを表示する。
【００２２】
本発明のもう１つの技術的な解決策として、上記の情報スキャン識別システムに応用される方法であって、情報サービスプラットフォームが、バーコードと第１の情報インターフェースに対応する第１のリソース情報の対応関係、およびプリセット情報と第２の情報インターフェースに対応する第２のリソース情報の対応関係が記録されたバインディング関係テーブルを設定するステップと、バーコードスキャンユニットがオンになったことを検出した時、スキャン端末が情報送受信ユニットによって上記プリセット情報を取得し、上記バインディング関係テーブルから上記第２のリソース情報を取得するステップと、スキャン端末が第１の情報インターフェース及び／又は第２の情報インターフェースを表示するステップと、を含む情報スキャン識別方法を提供する。
【００２３】
上記の情報スキャン識別方法は、スキャン端末が上記第１の情報インターフェースまたは第２の情報インターフェースを介して取得された操作情報をサードパーティプラットフォームに送信するステップと、サードパーティプラットフォームが上記操作情報に基づいて対応の操作命令を実行するステップと、をさらに含む。
【００２４】
上記のスキャン端末が第１の情報インターフェース及び／又は第２の情報インターフェースを表示するステップは、具体的には、バーコードに対する解析が成功したかどうかを判定するステップと、バーコードに対する解析が失敗したと判定したとき、上記第２の情報インターフェースを表示するステップとを含む。
【００２５】
上記のスキャン端末が第１の情報インターフェース及び／又は第２の情報インターフェースを表示するステップは、具体的には、バーコードに対する解析が成功したと判定したとき、第１のリソース情報と第２のリソース情報が同じであるかどうかを判定するステップと、第１のリソース情報と第２のリソース情報が同じであると判定したとき、第１の情報インターフェースまたは第２の情報インターフェースを表示するステップと、第１のリソース情報と第２のリソース情報が同じではないと判定したとき、第１の情報インターフェースおよび第２の情報インターフェースをそれぞれ表示するステップと、をさらに含む。
【００２６】
上記第１の情報インターフェースは情報対話インターフェースであり、上記第２の情報インターフェースは支払いインターフェースであり、上記の第１の情報インターフェースおよび第２の情報インターフェースをそれぞれ表示するステップは、具体的には、スキャン端末が第１の情報インターフェースを介して受信した選択操作に基づいて上記サードパーティプラットフォームに選択情報を送信するステップと、サードパーティプラットフォームが上記選択情報に基づいて上記第２の情報インターフェースを生成するステップと、スキャン端末がプリセット時間内にバーコードに対する解析が成功したかどうかを判定し、ＮＯであれば、上記第２の情報インターフェースを表示するステップと、を含む。
上記第１の情報インターフェースおよび第２の情報インターフェースは、ウェブページ、支払いインターフェース、知能ハードウェア制御インターフェース、ＡＰＰインターフェース、または情報対話インターフェースである。
【００２７】
上記の情報スキャン識別方法は、スキャン端末は情報送受信ユニットスイッチがオンになったことを検出したとき、上記情報送受信ユニットを起動させ上記プリセット情報を取得するステップをさらに含む。
【００２８】
上記情報送受信ユニットは、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備え、上記スキャン端末はボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備え、上記プリセット情報はボーカルコード、声紋データ、Ｂｌｕｅｔｏｏｔｈ情報、ｉＢｅａｃｏｎ情報、ＮＦＣ情報、ＲＦＩＤ情報、またはＷｉ-Ｆｉ情報である。
【００２９】
上記の情報スキャン識別方法は、上記バーコードスキャンユニットがオンになったとき、上記情報送受信ユニットスイッチが配置されるスキャンインターフェースを表示するステップをさらに含む。
【００３０】
本発明のもう１つの技術的解決策として、プリセット情報を配信し、バーコードと第１の情報インターフェースに対応する第１のリソース情報の対応関係、およびプリセット情報と第２の情報インターフェースに対応する第２のリソース情報の対応関係が記録されたバインディング関係テーブルを設定するための情報サービスプラットフォームと通信して接続するスキャン端末であって、処理ユニット、それぞれ上記処理ユニットに接続された画像取得ユニット、情報送受信ユニット、及び表示ユニットを備え、上記処理ユニットは、画像取得ユニットによってバーコードをスキャン・解析し、かつ上記バインディング関係テーブルから上記第１のリソース情報を取得するためのバーコードスキャンユニットと、上記バーコードスキャンユニットがオンになったことを検出したとき、情報送受信ユニットによって上記プリセット情報を取得し、上記バインディング関係テーブルから上記第２のリソース情報を取得するための情報スキャンユニットと、上記表示ユニットを駆動して上記第１の情報インターフェース及び／又は第２の情報インターフェースを表示するための情報プッシュユニットと、を備えるスキャン端末。
【００３１】
上記スキャン端末は、サードパーティプラットフォームと通信して接続し、上記スキャン端末は、さらに上記第１の情報インターフェースまたは第２の情報インターフェースを介して取得された操作情報を上記サードパーティプラットフォームに送信し、上記サードパーティプラットフォームは上記操作情報に基づいて対応の操作命令を実行する。
【００３２】
上記情報プッシュユニットは、上記バーコードスキャンユニットのバーコードに対する解析が成功したかどうかを判定するための第１の判定モジュールと、上記第１の判定モジュールがバーコードに対する解析が失敗したと判定したとき、上記表示ユニットを駆動して上記第２の情報インターフェースを表示するための起動モジュールと、を備える。
【００３３】
上記情報プッシュユニットは、上記第１の判定モジュールがバーコードに対する解析が成功したと判定したとき、第１のリソース情報と第２のリソース情報が同じであるかどうかを判定するための第２の判定モジュールをさらに備え、上記起動モジュールは、さらに、上記第２の判定モジュールが第１のリソース情報と第２のリソース情報が同じであると判定したとき、上記表示ユニットを駆動して第１の情報インターフェースまたは第２の情報インターフェースを表示するために用いられ、上記起動モジュールは、さらに、上記第２の判定モジュールが第１のリソース情報と第２のリソース情報が同じではないと判定したとき、上記表示ユニットを駆動して第１の情報インターフェースおよび第２の情報インターフェースをそれぞれ表示するために用いられる。
【００３４】
上記第１の情報インターフェースは情報対話インターフェースであり、上記スキャン端末は、対話インターフェースが受信した選択操作に基づいて、上記サードパーティプラットフォームに選択情報を送信するために用いられ、上記第１の判定モジュールは、さらに、プリセット時間内にバーコードに対する解析が成功したかどうかを判定し、ＮＯであれば、上記起動モジュールに通知を発し、表示ユニットを駆動して上記サードパーティプラットフォームによって上記選択情報に基づいて生成された支払いインターフェースである上記第２の情報インターフェースを表示する。
【００３５】
上記第１の情報インターフェースおよび第２の情報インターフェースは、ウェブページ、支払いインターフェース、知能ハードウェア制御インターフェース、ＡＰＰインターフェース、または情報対話インターフェースである。
【００３６】
上記情報スキャンユニットは、情報送受信ユニットスイッチがオンになったことを検出したとき、上記情報送受信ユニットを起動させ上記プリセット情報を取得するスキャン起動ユニットをさらに備える。
【００３７】
上記情報送受信ユニットは、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備え、上記情報スキャンユニットは、ボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備え、上記プリセット情報はボーカルコード、声紋データ、Ｂｌｕｅｔｏｏｔｈ情報、ｉＢｅａｃｏｎ情報、ＮＦＣ情報、ＲＦＩＤ情報、またはＷｉ-Ｆｉ情報である。
【００３８】
上記表示ユニットは、上記バーコードスキャンユニットがオンになったとき、上記情報送受信ユニットスイッチが配置されるスキャンインターフェースを表示する。
【発明の効果】
【００３９】
本発明の実施形態の有益な効果は、従来技術とは異なり、本発明の実施形態では、複数種類の情報転送技術とバーコードスキャン技術をユーザ側で習慣を変えることなく統合して、「バーコード＋通信情報」というスキャンメカニズムを確立し、商用及び様々な応用シナリオでの通信情報スキャンを広く使用可能である。本発明は、バーコードスキャン失敗場合の補足手段として、バーコードの解析が成功しなかった場合、情報送受信ユニットによるプリセット情報のスキャンによってリソース情報の識別を完成することができる。空間通信に基づいて、情報送信装置は、特定の範囲内の複数のスキャン端末との情報対話を確立するためにプリセット情報を送信し、バーコード画像によって引き起こされるスキャン距離とバーコードの数の制限を克服し、それによって情報対話の効率が向上し、コストダウンを実現することができる。さらに、本発明は、スキャン方式を設計することにより、バーコードのリソース情報をボーカルコードにより補完し、バーコードにより得られた操作情報をバッチで処理することができる。
【図面の簡単な説明】
【００４０】
【図１】図１は本発明の一実施形態に係る情報スキャン識別システムの構造を示すブロック図である。
【図２】図２は図１における情報スキャンユニットおよび情報送受信ユニットの構造を示すブロック図である。
【図３】図３は図１における情報プッシュユニットの構造を示すブロック図である。
【図４】図４は本発明の一実施形態に係る情報スキャン識別方法の実行フローチャートである。
【図５】図５は図４におけるステップＳ３の具体的な実施手順の実行フローチャートである。
【図６】図６は図５におけるステップＳ３５の具体的な実施手順の実行フローチャートである。
【発明を実施するための形態】
【００４１】
まず、本発明に含まれる略語および主な用語を定義し、説明する。
【００４２】
１、ボーカルコード
背景技術で説明したように、本発明におけるボーカルコードは、情報データを符号化した音波データとして定義され、上記音波データはリソース情報に対応する。
【００４３】
２、リソース情報
本発明において、リソース情報は、写真、テキストなどのデータ情報、またはＵＲＬアドレスである。その中でも、ＵＲＬ（Ｕｎｉｆｏｒｍ Ｒｅｓｏｕｒｃｅ Ｌｏｃａｔｏｒ）は、インターネットから取得できるリソースの場所とアクセス方法の単純な表現であり、インターネット上の標準リソースのアドレスである。インターネット上のすべてのファイルには、ファイルの場所とブラウザによる処理方法を示す情報を含む一意のＵＲＬがある。
【００４４】
３、バーコード
背景技術で説明したように、本発明で定義されるバーコードは、１次元バーコードと２次元コードを含む。
【００４５】
４、ＢＬＥ
低電力無線通信技術の国際標準であるＢｌｕｅｔｏｏｔｈ Ｌｏｗ Ｅｎｅｒｇｙ（Ｂｌｕｅｔｏｏｔｈ Ｌｏｗ Ｅｎｅｒｇｙ）では、Ｂｌｕｅｔｏｏｔｈ ４．０技術を搭載したデバイスは、従来のＢｌｕｅｔｏｏｔｈおよびワイヤレスネットワークと比較して、ボタン電池で駆動し、他のＢｌｕｅｔｏｏｔｈデバイスに接続でき、電力消費がより低く、接続速度がより高い。
【００４６】
５、ｉＢｅａｃｏｎ
ｉＢｅａｃｏｎは、「近くのハンドヘルド電子機器で検出できる新しい低電力、低コストの信号送信機」である、Ａｐｐｌｅの屋内測位システムで使用できるプロトコルである。この技術により、スマートフォンまたはその他のデバイスは、ｉＢｅａｃｏｎベースステーションの検知範囲内で対応のコマンドを実行することができる。
【００４７】
６、ＮＦＣ
近距離無線通信とも呼ばれる近距離無線通信（ＮＦＣ  Ｎｅａｒ Ｆｉｅｌｄ Ｃｏｍｍｕｎｉｃａｔｉｏｎ）は、１０センチメートル（３．９インチ）以内の電子デバイス間で非接触のポイントツーポイントデータ伝送を可能にする短距離高周波無線通信技術である。
【００４８】
７、ＲＦＩＤ
Ｒａｄｉｏ Ｆｒｅｑｕｅｎｃｙ ＩＤｅｎｔｉｆｉｃａｔｉｏｎ（ＲＦＩＤ）は、無線信号を使用して特定のターゲットを識別し、システムと特定のターゲット間の機械的または光学的接触を識別することなく関連データを読み書きする無線通信技術である。無線信号は、無線周波数に変調された電磁場によってアイテムに取り付けられたタグから送信され、アイテムを自動的に識別して追跡する。
【００４９】
８、Ｗｉ-Ｆｉ Ｄｉｒｅｃｔ
以前はＷｉ-Ｆｉ Ｐｅｅｒ-ｔｏ-Ｐｅｅｒとして知られていたＷｉ-Ｆｉ Ｄｉｒｅｃｔは、Ｗｉ-Ｆｉデバイスがワイヤレスネットワークを通過できるようにするソフトウェアプロトコルである。アクセスポイントは、高速データ伝送のためにポイントツーポイント方式で別のＷｉ-Ｆｉデバイスに直接接続する。その主なライバルはＢｌｕｅｔｏｏｔｈ ３．０プロトコルである。
【００５０】
９、声紋
声紋は、一般に「音の質感」、「音の指紋」として知られている音波の特性データである。音波の特性データは、主に時間軸上の周波数と振幅を含む音波のスペクトル特性である。異なる音波には異なる音波特性がある。受信端末は、時間軸上の周波数領域分析アルゴリズムを介して、異なる音波の異なる音波特性を取得し、それにより、対応するリソース情報を取得する。
【００５１】
本発明の実施形態における技術的解決策は、本発明の実施形態における添付図面を参照して以下に明確かつ完全に説明されるが、説明された実施形態は、本発明の実施形態の一部にすぎず、すべての実施形態ではないことは明らかである。創造的な努力なしに本発明の実施形態に基づいて当業者によって得られる他の実施形態は、すべて本発明の範囲内に含まれる。
【００５２】
図１および図２を参照し、図１は本発明の一実施形態に係る情報スキャン識別システムの構造を示すブロック図であり、図２は図１における情報スキャンユニットおよび情報送受信ユニットの構造を示すブロック図である。
【００５３】
上記情報スキャン識別システム１００は、スキャン端末１、情報送信装置２、スキャン端末１と通信して接続する情報サービスプラットフォーム３、スキャン端末１と通信して接続するサードパーティプラットフォーム４を備える。上記サードパーティプラットフォームは、特定の操作機能と情報表示および処理機能を有するＷｅｂサイト、ＡＰＰなどであり、例えば、支払いプラットフォーム、知能ハードウェア制御プラットフォーム、ソーシャルＡＰＰなどであり得る。
【００５４】
上記情報サービスプラットフォーム３は、プリセット情報を配信し、上記情報送信装置２は上記プリセット情報を出力する。上記情報サービスプラットフォーム３は、さらに、バーコードと第１の情報インターフェースに対応する第１のリソース情報の対応関係、およびプリセット情報と第２の情報インターフェースに対応する第２のリソース情報の対応関係が記録されたバインディング関係テーブルを設定する。
【００５５】
上記スキャン端末１は、処理ユニット１０と、それぞれ上記処理ユニット１０に接続された画像取得ユニット２０、情報送受信ユニット３０、表示ユニット４０を備える。上記処理ユニット１０はバーコードスキャンユニット１１、情報スキャンユニット１２、情報プッシュユニット１３を備える。
【００５６】
上記バーコードスキャンユニット１１は、画像取得ユニット２０によってバーコードをスキャン・解析し、上記バインディング関係テーブルから上記第１のリソース情報を取得する。上記情報スキャンユニット１２は、上記バーコードスキャンユニット１１がオンになったことを検出したとき、情報送受信ユニット３０によって上記プリセット情報を取得し、上記バインディング関係テーブルから上記第２のリソース情報を取得する。上記情報プッシュユニット１３は、上記表示ユニット４０を駆動して上記第１の情報インターフェース及び／又は第２の情報インターフェースを表示する。
【００５７】
上記プリセット情報は、ボーカルコード、声紋データ、Ｂｌｕｅｔｏｏｔｈ情報、ｉＢｅａｃｏｎ情報、ＮＦＣ情報、ＲＦＩＤ情報、またはＷｉ-Ｆｉ情報である。
【００５８】
上記情報送受信ユニット３０は、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備える。
【００５９】
上記情報スキャンユニット１２は、ボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備える。
【００６０】
図２に示すように、情報スキャンユニット１２中のスキャンモジュールは、情報送受信ユニット３０におけるスキャンモジュールの属性に対応する通信モジュールによって情報送信装置２から出力されたプリセット情報を取得する。
【００６１】
上記スキャン端末１は、スマーフォン、タブレットコンピュータ、ＰＤＡ、スキャナなどの様々な電子デバイスであり得る。上記情報送信装置２は、スマーフォン、タブレットコンピュータ、ＰＤＡ、電子看板、大型ディスプレイスクリーン、オーディオプレーヤーなどの情報送受信ユニットを有する電子デバイスであり得る。
【００６２】
具体的には、一実施形態では、バインディング関係テーブルの設定が完成した後、上記情報サービスプラットフォーム３は、バインディング関係テーブルを、通信可能に接続されたスキャン端末１に送信する。別の実施形態では、情報サービスプラットフォーム３は、スキャン端末１から送信されたバーコード情報およびプリセット情報に基づいてバインディング関係テーブルから対応の第１のリソース情報および第２のリソース情報を抽出して、スキャン端末１に送信する。
上記情報プッシュユニット１３は、上記表示ユニット４０を駆動して上記第１の情報インターフェース及び／又は第２の情報インターフェースを表示する。
【００６３】
上記第１の情報インターフェースおよび第２の情報インターフェースは、ウェブページ、支払いインターフェース、知能ハードウェア制御インターフェース、ＡＰＰインターフェース、または情報対話インターフェースである。
【００６４】
上記スキャン端末１は、上記第１の情報インターフェースまたは第２の情報インターフェースを介して取得された操作情報を上記サードパーティプラットフォーム４に送信し、上記サードパーティプラットフォーム４は上記操作情報に基づいて対応の操作命令を実行する。
【００６５】
上記情報スキャンユニット１２は、情報送受信ユニットスイッチがオンになったことを検出したとき、上記情報送受信ユニット３０を起動させ上記プリセット情報を取得するスキャン起動ユニット１２１をさらに備える。具体的には、上記処理ユニット１０は、上記バーコードスキャンユニット１１がオンになったとき、上記表示ユニット４０を駆動して上記情報送受信ユニットスイッチが配置されるスキャンインターフェースを表示する。ユーザは、このスキャンインターフェースを介して、スキャンモードを選択してプリセット情報をスキャンすることができる。
【００６６】
図３を参照して、図１における情報プッシュユニット１３の構造を示すブロック図である。
【００６７】
上記情報プッシュユニット１３は、第１の判定モジュール１３１、第２の判定モジュール１３２、および起動モジュール１３３を備える。上記第１の判定モジュール１３１は、上記バーコードスキャンユニット１１のバーコードに対する解析が成功したかどうかを判定する。上記起動モジュール１３３は、上記第１の判定モジュール１３１がバーコードに対する解析が失敗したと判定したとき、上記表示ユニット４０を駆動して上記第２の情報インターフェースを表示する。
【００６８】
第２の判定モジュール１３２は、上記第１の判定モジュール１３１がバーコードに対する解析が成功したと判定したとき、第１のリソース情報と第２のリソース情報が同じであるかどうかを判定する。上記起動モジュール１３３は、さらに、上記第２の判定モジュール１３２が第１のリソース情報と第２のリソース情報が同じであると判定したとき、上記表示ユニット４０を駆動して第１の情報インターフェースまたは第２の情報インターフェースを表示する。上記起動モジュール１３３は、さらに、上記第２の判定モジュール１３２が第１のリソース情報と第２のリソース情報が同じではないと判定したとき、上記表示ユニット４０を駆動して第１の情報インターフェースおよび第２の情報インターフェースをそれぞれ表示する。
【００６９】
具体的には、上記の第１の情報インターフェースおよび第２の情報インターフェースをそれぞれ表示するには、第１の情報インターフェースおよび第２の情報インターフェースをそれぞれ順に表示してもよく、または異なる領域で上記第１の情報インターフェースおよび第２の情報インターフェースを同時に表示してもよい。
【００７０】
ある具体的な実施形態では、上記第１の情報インターフェースは情報対話インターフェースであり、上記スキャン端末１は、第１の情報インターフェースを介して受信された選択操作に基づいて、上記サードパーティプラットフォーム４に選択情報を送信し、上記第２の情報インターフェースは支払いインターフェースであり、上記サードパーティプラットフォーム４は、上記選択情報に基づいて上記第２の情報インターフェースを生成し、上記第１の判定モジュール１３１は、さらに、プリセット時間内にバーコードに対する解析が成功したかどうかを判定し、ＮＯであれば、上記起動モジュール１３３に通知を発し、上記表示ユニット４０を駆動して上記第２の情報インターフェースを表示する。
【００７１】
図４を参照して、本発明の一実施形態に係る情報スキャン識別方法の実行フローチャートである。上記方法は上記情報スキャン識別システム１００中に応用される。
【００７２】
情報サービスプラットフォームによって、バーコードと第１の情報インターフェースに対応する第１のリソース情報の対応関係、およびプリセット情報と第２の情報インターフェースに対応する第２のリソース情報の対応関係が記録されたバインディング関係テーブルを設定するステップＳ１と、
バーコードスキャンユニットがオンになったことを検出した時、スキャン端末が情報送受信ユニットによって上記プリセット情報を取得し、上記バインディング関係テーブルから上記第２のリソース情報を取得するステップＳ２と、
スキャン端末によって第１の情報インターフェース及び／又は第２の情報インターフェースを表示するステップＳ３と、を含む。
【００７３】
具体的には、ある実施形態では、バインディング関係テーブルの設定が完成した後、上記情報サービスプラットフォームはバインディング関係テーブルを通信可能に接続された他のスキャン端末に送信する。別の実施形態では、情報サービスプラットフォームは、スキャン端末から送信されたバーコード情報およびプリセット情報に基づいてバインディング関係テーブルから対応の第１のリソース情報と第２のリソース情報を抽出して、スキャン端末に送信する。
【００７４】
上記プリセット情報は、ボーカルコード、声紋データ、Ｂｌｕｅｔｏｏｔｈ情報、ｉＢｅａｃｏｎ情報、ＮＦＣ情報、ＲＦＩＤ情報、またはＷｉ-Ｆｉ情報である。
【００７５】
上記情報送受信ユニット３０は、オーディオ送受信モジュール、ＢＬＥモジュール、ｉＢｅａｃｏｎモジュール、ＮＦＣモジュール、ＲＦＩＤモジュール、Ｗｉ-Ｆｉ Ｄｉｒｅｃｔモジュールを備える。
【００７６】
上記情報スキャンユニット１２は、ボーカルコードスキャンモジュール、声紋スキャンモジュール、ＢＬＥスキャンモジュール、ｉＢｅａｃｏｎスキャンモジュール、ＮＦＣスキャンモジュール、ＲＦＩＤスキャンモジュール、Ｗｉ-Ｆｉスキャンモジュールを備える。
【００７７】
図２に示すように、情報スキャンユニット１２中のスキャンモジュールは、情報送受信ユニット３０におけるスキャンモジュールの属性に対応する通信モジュールによって情報送信装置２から出力されたプリセット情報を取得する。
【００７８】
具体的には、上記第１の情報インターフェースおよび第２の情報インターフェースは、ウェブページ、支払いインターフェース、知能ハードウェア制御インターフェース、ＡＰＰインターフェース、または情報対話インターフェースである。
【００７９】
上記の情報スキャン識別方法は、
スキャン端末によって上記第１の情報インターフェースまたは第２の情報インターフェースを介して取得された操作情報をサードパーティプラットフォームに送信するステップＳ４と、
サードパーティプラットフォームによって上記操作情報に基づいて対応の操作命令を実行するステップＳ５とをさらに含む。
【００８０】
図５を参照して、図４におけるステップＳ３の具体的な実施手順の実行フローチャートである。上記ステップＳ３は、具体的には、
バーコードに対する解析が成功したかどうかを判定し、ＮＯであれば、ステップＳ３２に移行し、ＹＥＳであればステップＳ３３に移行するステップＳ３１と、
上記第２の情報インターフェースを表示するステップＳ３２と、
第１のリソース情報と第２のリソース情報が同じであるかどうかを判定し、ＹＥＳであればステップＳ３４に移行し、ＮＯであればステップＳ３５に移行するステップＳ３３と、
第１の情報インターフェースまたは第２の情報インターフェースを表示するステップＳ３４と、
第１の情報インターフェースおよび第２の情報インターフェースをそれぞれ表示するステップＳ３５と、を含む。
【００８１】
具体的には、上記の第１の情報インターフェースおよび第２の情報インターフェースをそれぞれ表示するには、第１の情報インターフェースおよび第２の情報インターフェースをそれぞれ順に表示してもよく、または異なる表示領域で上記第１の情報インターフェースおよび第２の情報インターフェースを同時に表示してもよい。
【００８２】
図６を参照して、図５におけるステップＳ３５の具体的な実施手順の実行フローチャートである。本実施形態では、上記第１の情報インターフェースは情報対話インターフェースであり、上記第２の情報インターフェースは支払いインターフェースである。上記ステップＳ３５は、具体的には、
スキャン端末によって対話インターフェースを介して受信された選択操作に基づいて上記サードパーティプラットフォームに選択情報を送信するステップＳ３５１と、
サードパーティプラットフォームによって上記選択情報に基づいて上記支払いインターフェースを生成するステップＳ３５２と、
スキャン端末によってプリセット時間内にバーコードに対する解析が成功したかどうかを判定し、ＮＯであれば、上記第２の情報インターフェースを表示するステップＳ３５３と、を含む。
【００８３】
別の実施形態では、上記の情報スキャン識別方法は、スキャン端末によって情報送受信ユニットスイッチがオンになったことを検出したとき、上記情報送受信ユニットを起動させ上記プリセット情報を取得するステップをさらに含む。具体的には、上記バーコードスキャンユニットがオンになったとき、上記情報送受信ユニットスイッチが配置されるスキャンインターフェースを表示する。ユーザは、このスキャンインターフェースを介してスキャンモードを選択してプリセット情報をスキャンすることができる。
【００８４】
応用シナリオの例
本発明の技術的解決策によってもたらされる技術的効果を、本発明が適用されるシナリオの特定の例を使用して以下に説明する。
【００８５】
応用シナリオ１：支払い
背景技術のキューイング支払いの問題を解決するために、本発明によって以下の解決策を得ることができる。マーチャントは情報サービスプラットフォームを介してバインディング関係テーブルを設定し、支払いインターフェースアドレスを支払いバーコードと支払いボーカルコードに結び付け、マーチャントがいる地域で、情報送信装置によって上記支払いボーカルコードが組み込まれた音波信号を再生する。
【００８６】
消費者は支払いを行うとき、バーコードスキャンユニットによって最も近くの支払いバーコードをスキャンしてもよく、または遠距離でスキャンしてもよい。このとき、スキャン端末は支払い音波信号を記録し支払いボーカルコードを解析し、支払いボーカルコードは上記バインディング関係テーブルから支払いインターフェースアドレスを取得し、対応の支払いインターフェースを表示する。
【００８７】
複数の製品を選択し支払うとき、本発明では、２次元コードをスキャンし支払い対象製品を選択し、２次元コードが長時間スキャンされない場合、ボーカルコードで支払いを駆動し、バッチ支払いを実現し、支払い効率が向上する。
【００８８】
応用シナリオ２：知能ハードウェア制御
例えば、共有自転車の分野では、現在バーコード（２次元コード）が情報識別に使用され、２次元コードが破損すると、自転車を使用できなくなり、自転車がランダムに停止するので管理しにくい。
【００８９】
この知能ハードウェア制御問題を解決するために、本発明の解決策として、マーチャントは情報サービスプラットフォームを介してバインディング関係テーブルを設定し、知能ハードウェア制御インターフェースアドレスをスイッチロックボーカルコードと結び付け、マーチャントが設定された共有自転車の停止地点で、情報送信装置によって上記スイッチロックボーカルコードが組み込まれた音波信号を再生する。
【００９０】
消費者が共有自転車を起動または停止する場合、バーコードスキャンユニットによってバーコードをスキャンしてもよく、遠距離でスキャンしてもよい。このとき、スキャン端末はスイッチロック音波信号を記録しスイッチロックボーカルコードを解析し、スキャン端末は上記バインディング関係テーブルから知能ハードウェア制御インターフェースアドレスを取得し、対応の知能ハードウェア制御インターフェースを表示する。消費者は該知能ハードウェア制御インターフェースを介して共有自転車を起動または停止することができる。
【００９１】
本発明の実施形態の有益効果は、従来技術とは異なり、本発明の実施形態では、複数種類の情報転送技術とバーコードスキャン技術をユーザ側で習慣を変えることなく統合して、「バーコード＋通信情報」というスキャンメカニズムを確立し、商用及び様々な応用シナリオでの通信情報スキャンを広く使用可能である。本発明は、バーコードスキャン失敗の補足手段として、バーコードの解析が成功しなかった場合、情報送受信ユニットによるプリセット情報のスキャンによってリソース情報の識別を完成することができる。空間通信に基づいて、情報送信装置は、特定の範囲内の複数のスキャン端末との情報対話を確立するためにプリセット情報を送信し、バーコード画像によって引き起こされるスキャン距離とバーコードの数の制限を克服し、それによって情報対話の効率が向上し、コストダウンを実現することができる。さらに、本発明は、スキャン方式を設計することにより、バーコードのリソース情報をボーカルコードにより補完し、バーコードにより得られた操作情報をバッチで処理することができる。
【００９２】
本発明によって提供される実施形態では、開示されたシステム、端末及び方法は、他の方法で実現されてもよい。例えば、上記の端末の実施形態は概略的であり、上記ユニットの分割は論理機能分割であり、実際に別の方式で分割してもよい。
【００９３】
別個のコンポーネントとして説明されるユニットは、物理的に分離されていてもされていなくてもよく、すなわち、一箇所に配置されていても、複数のネットワーク要素に分散されていてもよい。ユニットのいくつかまたはすべては、実施形態の解決策の目的を達成するための実際のニーズに従って選択されてもよい。
【００９４】
さらに、本発明の各実施形態における各機能ユニットは、１つの処理ユニットに統合されてもよく、各ユニットは物理的に別個に存在してもよく、または２つ以上のユニットが１つのユニットに統合されてもよい。上記の統合ユニットは、ハードウェアの形で、またはハードウェアとソフトウェア機能ユニットの形で実装できる。
【００９５】
統合ユニットは、ソフトウェア機能ユニットの形で実装され、スタンドアロン製品として販売または使用される場合、コンピュータ読み取り可能な記憶媒体に保存することができる。そのような理解に基づいて、本発明の技術的解決策のすべてまたは一部は、コンピュータデバイス（パーソナルコンピュータ、管理サーバ、またはネットワークデバイスなどであってもよい）を引き起こすための複数の命令、またはプロセッサが実行する本発明のさまざまな実施形態で説明した方法のステップのすべてまたは一部を含む記憶媒体に格納されたソフトウェア製品の形で具現化され得る。上記の記憶媒体には、Ｕディスク、モバイルハードディスク、読み取り専用メモリ（ｒｅａｄ-ｏｎｌｙ ｍｅｍｏｒｙ：ＲＯＭ）、ランダムアクセスメモリ（Ｒａｎｄｏｍ Ａｃｃｅｓｓ Ｍｅｍｏｒｙ：ＲＡＭ）、磁気ディスクまたは光ディスクなどのプログラムコードを記憶できるさまざまな媒体が含まれる。
【００９６】
上記は本発明の実施形態に過ぎず、本発明の範囲を限定することを意図するものではなく、本発明の等価な構造または等価なプロセス変換および図面の内容は、直接的または間接的に他の関連技術に適用され得るものは、すべて本発明の特許保護の範囲に含まれる。
【図１】
0006800350.tif 000002
【図２】
0006800350.tif 000003
【図３】
0006800350.tif 000004
【図４】
0006800350.tif 000005
【図５】
0006800350.tif 000006
【図６】
0006800350.tif 000007